(57)【特許請求の範囲】
【請求項１】
原稿を読み取る原稿読み取り部と、
前記原稿読み取り部で読み取った画像データを処理する画像データ処理部と、
前記原稿読み取り部を制御し、原稿の読み取り動作、または当該読み取り動作を伴わない通紙動作を行わせる制御部と、
前記原稿読み取り部で読み取り、または通紙した原稿の総ページ数を記憶する総ページ数記憶部と、
使用者が、前記原稿読み取り部における原稿の通紙動作を行うか否か、および、原稿の読み取り動作を行う回数を指定することが可能な指定部と
を備え、
前記制御部は、前記指定部における使用者の指定に応じて、前記原稿読み取り部に原稿の読み取り動作を複数回行わせるか、読み取り動作と通紙動作とをそれぞれ少なくとも１回行わせ、その動作毎に、読み取った、または通紙した原稿の総ページ数を前記総ページ数記憶部に記憶させ、
前記総ページ数記憶部に記憶された、複数回の読み取り動作、またはそれぞれ少なくとも１回の読み取り動作および通紙動作における原稿の総ページ数を比較する総ページ数比較部をさらに備え、
前記制御部は、前記総ページ数比較部の比較結果に基づいて、使用者に情報を報知することを特徴とする画像処理装置。
【請求項２】
原稿の通紙時には、前記原稿読み取り部の読み取りセンサの解像度を、読み取り動作時よりも低く設定し、当該読み取りセンサを用いて原稿の通過を検知することにより、通紙した原稿の総ページ数を取得することを特徴とする請求項１に記載の画像処理装置。
【請求項３】
原稿を読み取る原稿読み取り部と、
前記原稿読み取り部で読み取った画像データを処理する画像データ処理部と、
前記原稿読み取り部を制御し、原稿の読み取り動作、または当該読み取り動作を伴わない通紙動作を行わせる制御部と、
前記原稿読み取り部で読み取り、または通紙した原稿の総ページ数を記憶する総ページ数記憶部と
を備え、
前記制御部は、原稿の通紙時に、前記原稿読み取り部の読み取りセンサの解像度を、読み取り動作時よりも低く設定し、当該読み取りセンサを用いて原稿の通過を検知することにより、通紙した原稿の総ページ数を取得し、
前記制御部は、前記原稿読み取り部に原稿の読み取り動作を複数回行わせるか、読み取り動作と通紙動作とをそれぞれ少なくとも１回行わせ、その動作毎に、読み取った、または通紙した原稿の総ページ数を前記総ページ数記憶部に記憶させ、
前記総ページ数記憶部に記憶された、複数回の読み取り動作、またはそれぞれ少なくとも１回の読み取り動作および通紙動作における原稿の総ページ数を比較する総ページ数比較部をさらに備え、
前記制御部は、前記総ページ数比較部の比較結果に基づいて、使用者に情報を報知すること
を特徴とする画像処理装置。
【請求項４】
前記制御部は、前記使用者に報知する前記情報としては、画像処理装置の状態に関する表示を行うことを特徴とする請求項１から３までの何れか１項に記載の画像処理装置。
【請求項５】
前記画像処理装置の状態に関する表示は、エラー表示、警告表示、ステータス表示、オペレーション表示の少なくとも一つを含むことを特徴とする請求項４に記載の画像処理装置。
【発明の詳細な説明】
【技術分野】
【０００１】
この発明は、原稿を画像データとして読み取り、読み取った画像データを処理する画像処理装置に関する。
【背景技術】
【０００２】
画像処理装置では、複数ページからなる原稿を読み取る際に、２ページ以上の原稿が重なって搬送される送りエラー（重送エラー）が発生する場合がある。このような重送エラーが発生すると、読み取られないページ（ページ抜け）が生じるため、画像処理装置に原稿をセットし直し、改めて読み取りを行う必要がある。そこで、原稿の厚みを測定して基準値と比較することにより、重送エラーを早期に検知する技術が開発されている（例えば、特許文献１参照）。
【先行技術文献】
【特許文献】
【０００３】
【特許文献１】特開２００４−２３８１８５号公報（図４、段落００５４〜００７０）
【発明の概要】
【発明が解決しようとする課題】
【０００４】
しかしながら、上述した従来の技術では、原稿の厚みを測定するためのセンサなどを設置する必要があるため、画像処理装置が大型化するという問題があった。
【０００５】
本発明は、上記の課題に鑑みてなされたものであり、その目的は、装置を大型化することなく、原稿の重送エラーを検知することができる画像処理装置を提供することにある。
【課題を解決するための手段】
【０００６】
本発明に係る画像処理装置は、原稿を読み取る原稿読み取り部と、原稿読み取り部で読み取った画像データを処理する画像データ処理部と、原稿読み取り部を制御し、原稿の読み取り動作、または当該読み取り動作を伴わない通紙動作を行わせる制御部と、原稿読み取り部で読み取り、または通紙した原稿の総ページ数を記憶する総ページ数記憶部と、使用者が、原稿読み取り部における原稿の通紙動作を行うか否か、および、原稿の読み取り動作を行う回数を指定することが可能な指定部とを備え、制御部は、指定部における使用者の指定に応じて、原稿読み取り部に原稿の読み取り動作を複数回行わせるか、読み取り動作と通紙動作とをそれぞれ少なくとも１回行わせ、その動作毎に、読み取った、または通紙した原稿の総ページ数を総ページ数記憶部に記憶させ、総ページ数記憶部に記憶された、複数回の読み取り動作、またはそれぞれ少なくとも１回の読み取り動作および通紙動作における原稿の総ページ数を比較する総ページ数比較部をさらに備え、制御部は、総ページ数比較部の比較結果に基づいて、使用者に情報を報知することを特徴とする。
【０００７】
本発明に係る画像処理装置は、また、原稿を読み取る原稿読み取り部と、原稿読み取り部で読み取った画像データを処理する画像データ処理部と、原稿読み取り部を制御し、原稿の読み取り動作、または当該読み取り動作を伴わない通紙動作を行わせる制御部と、原稿読み取り部で読み取り、または通紙した原稿の総ページ数を記憶する総ページ数記憶部とを備え、制御部は、原稿の通紙時に、原稿読み取り部の読み取りセンサの解像度を、読み取り動作時よりも低く設定し、当該読み取りセンサを用いて原稿の通過を検知することにより、通紙した原稿の総ページ数を取得し、制御部は、原稿読み取り部に原稿の読み取り動作を複数回行わせるか、読み取り動作と通紙動作とをそれぞれ少なくとも１回行わせ、その動作毎に、読み取った、または通紙した原稿の総ページ数を総ページ数記憶部に記憶させ、総ページ数記憶部に記憶された、複数回の読み取り動作、またはそれぞれ少なくとも１回の読み取り動作および通紙動作における原稿の総ページ数を比較する総ページ数比較部をさらに備え、制御部は、総ページ数比較部の比較結果に基づいて、使用者に情報を報知することを特徴とする。
【発明の効果】
【０００８】
本発明によれば、総ページ数記憶部に記憶された、複数回の読み取り動作等における原稿の総ページ数を比較することで、原稿の重送エラー（これによるページ抜け）を検知することができる。また、原稿の厚さを測定するためのセンサなどを設置する必要がないため、装置を大型化する必要がない。
【図面の簡単な説明】
【０００９】
【図１】本発明の第１の実施の形態における画像処理装置としての複合機の構成を示すブロック図である。
【図２】本発明の第１の実施の形態における読み取り部による原稿の読み取り動作を説明するための図である。
【図３】本発明の第１の実施の形態における総ページ数記憶部が記憶するデータの例を示す図である。
【図４】本発明の第１の実施の形態における総ページ数記憶部が記憶するデータの他の例を示す図である。
【図５】本発明の第１の実施の形態において表示部に表示するエラー画面の例を示す図である。
【図６】本発明の第１の実施の形態における一時スタッカの作用を説明するための図である。
【図７】本発明の第１の実施の形態における複合機の動作を示すフローチャートである。
【図８】本発明の第２の実施の形態における画像処理装置の構成を示すブロック図である。
【図９】本発明の第２の実施の形態における操作パネル部の設定画面の例を示す図である。
【図１０】本発明の第２の実施の形態における総ページ数記憶部が記憶するデータの例を示す図である。
【図１１】本発明の第２の実施の形態における複合機の動作を示すフローチャートである。
【発明を実施するための形態】
【００１０】
第１の実施の形態．
本発明の第１の実施の形態における画像処理装置について、図１から図７を参照して説明する。
図１は、第１の実施の形態における画像処理装置としての複合機１０の構成を示すブロック図である。複合機１０は、制御部１１、記憶部１２、給紙部１３、送受信部１４、操作パネル部１５、解析部１６、印刷部１７および原稿読み取り部１８を有しており、これらは、バスにより相互に接続されている。
【００１１】
制御部１１は、例えばＣＰＵ（Ｃｅｎｔｒａｌ  Ｐｒｏｃｅｓｓｉｎｇ  Ｕｎｉｔ）を備え、複合機１０における他の各部の動作を続括的に管理する。
【００１２】
記憶部１２は、複合機１０の動作制御に必要なデータや、画像データを保存するデータ記憶部１２１と、原稿読み取り部１８で読み取られた原稿の総ページ数を記憶する総ページ数記憶部１２２とを有している。
【００１３】
給紙部１３は、図示しないトレイに記録媒体を保持し、この記録媒体を、印刷部１７による画像の印刷位置に給紙する。印刷部１７は、後述するデータ解析部１６１で解析された画像データを、上記の給紙部１３から給紙された記録媒体（例えば記録用紙）に印刷する。なお、印刷部１７の印刷方式は、例えば、インクジェット方式、電子写真方式、熱転写方式など、いかなる印刷方式であってもよい。
【００１４】
送受信部１４は、外部から複合機１０に向けて送信されたデータを受信し、また、複合機１０から外部にデータを送信する。
【００１５】
操作パネル１５は、オペレーションパネルであり、使用者の操作により複合機１０に指示や情報を入力するためのタッチパネル、キーボード、マウスなどで構成される入力部１５１と、ディスプレイなどの表示装置で構成される表示部１５２とを有している。
【００１６】
解析部１６は、送受信部１４で受信したデータや原稿読み取り部１８で読み取られた画像データを解析するデータ解析部（画像データ処理部）１６１を有する。解析部１６は、また、原稿読み取り部１８で読み取られた原稿の総ページ数を計数して、上記の総ページ数記憶部１２２に記憶する。解析部１６は、さらに、総ページ数記憶部１２２に記憶されている複数回分の総ページ数を比較する総ページ数管理部（総ページ数比較部）１６２を有している。
【００１７】
原稿読み取り部１８は、原稿の画像を画像データとして読み取る。図２は、原稿読み取り部１８における原稿の読み取る動作を説明するための図である。原稿読み取り部１８は、原稿４０４を載置する読み取り面４０３（例えば透明板）と、この読み取り面４０３上に原稿４０４を搬送するローラ４０２（搬送手段）と、読み取り面４０３上に載置された原稿４０４を、読み取り面４０３の下側から光学的に読み取る読み取りセンサ４０１とを備えている。読み取りセンサ４０１は、例えば、図中上下方向に複数の素子が配列されたラインセンサであり、配列方向に直交する方向（図中左右方向）に移動することで、原稿４０４を読み取る。
【００１８】
図２（Ａ）および（Ｂ）に示した例は、Ａ４サイズの原稿４０４を、その短片が読み取りセンサ４０１の長手方向と平行になるように、原稿読み取り面４０３上に載置した例である。読み取りセンサ４０１は、原稿４０４の短辺と平行なラインを読み取りながら（短辺引き）、原稿４０４の長辺方向に移動する。なお、図２（Ａ）では、原稿４０４が図中上向きに載置され、図２（Ｂ）では、原稿４０４が図中下向きに載置されている。
【００１９】
一方、図２（Ｃ）および（Ｄ）に示した例は、Ａ４サイズの原稿４０４を、その長片が読み取りセンサ４０１の長手方向と平行になるように、原稿読み取り面４０３上に載置した例である。読み取りセンサ４０１は、原稿４０４の長辺と平行なラインを読み取りながら（長辺引き）、原稿４０４の短辺方向に移動する。なお、図２（Ｃ）では、原稿４０４が図中右向きに載置され、図２（Ｄ）では、原稿４０４が図中左向きに載置されている。
【００２０】
このように構成された複合機１０の基本動作は、以下のとおりである。
制御部１１は、使用者による操作パネル部１５の入力部１５１の操作（例えばコピーボタンなどの操作）により、原稿の読み取りを開始する。原稿読み取り部１８（図２）では、制御部１１の指示により、ローラ４０３が回転して原稿４０４を読み取り面４０３上に搬送する。次いで、読み取りセンサ４０１が、読み取り面４０３上の原稿４０４を読み取る。原稿読み取り部１８は、読み取った画像データを、データ解析部１６１に送り、データ解析部１６１は、画像データを解析し、解析した画像データを印刷部１７（または送受信部１４）に送る。
【００２１】
印刷部１７は、データ解析部１６１から送られた画像データを、給紙部１３から給紙された図示しない記録媒体に印刷する。また、データ解析部１６１が画像データを送受信部１４に送った場合には、この送受信部１４から画像データが外部に送信される。
【００２２】
第１の実施の形態では、原稿読み取り部１８による原稿の読み取り動作を複数回（例えば２回）行い、読み取り動作毎に、読み取った原稿の総ページ数を総ページ数記憶部１２２に記憶する。そして、総ページ数管理部１６が、総ページ数記憶部１２２に記憶されている各回（例えば１回目と２回目）の総ページ数を比較し、総ページ数が一致するか否かにより、ページ抜け（主として重送エラーによる）が発生したか否かを判断する。
【００２３】
図３及び図４は、本実施の形態における総ページ数記憶部１２２が記憶するデータの例を示す図である。総ページ数記憶部１２２が記憶するデータは、読み取り回数２１と総ページ数２２とで構成される。読み取り回数２１は、原稿読み取り部１８が原稿の読み取り動作を行った回数を示す。総ページ数２２は、読み取り動作毎に読み取った原稿の総ページ数を示す。
【００２４】
ここでは、原稿読み取り部１８による原稿の読み取り動作を２回行うものとし、総ページ数記憶部１２２には、１回目と２回目の計２回分の総ページ数を記憶する。図３に示した例では、１回目および２回目の総ページ数２２に、共に「８０ページ」が記憶されている。上述した総ページ数管理部１６２は、総ページ数記憶部１２２に記憶されている総ページ数を比較する。図３に示した例のように、１回目と２回目の総ページ数が一致する場合には、総ページ数管理部１６２は、ページ抜けは発生しなかったものと判断する。
【００２５】
一方、図４に示したように、１回目の総ページ数２２に「８０ページ」が記憶され、２回目の総ページ数２２に「７８ページ」が記憶されている場合には、１回目と２回目の総ページ数が異なるため、総ページ数管理部１６２は、ページ抜けが発生したものと判断する。この場合には、制御部１１は、表示部１５２にエラー画面３１を表示し、使用者に異常を知らせる。なお、制御部１１および総ページ数管理部１６２は、ページ抜けの発生を判断する処理を司る制御部（制御手段）を構成している。
【００２６】
図５は、総ページ数管理部１６２が、ページ抜けが発生したと判断した場合に、制御部１１が表示部１５２に表示するエラー画面３１の例を示す。エラー画面３１には、エラーの内容を示すメッセージ部３２と、読み取り結果３３（すなわち総ページ数の計数結果）とが表示される。
【００２７】
メッセージ部３２の表示は、例えば、「ページ抜けエラーが発生しました」というエラー表示、「重送などによるページ抜けの可能性があります」という警告表示、「画像データの送信を中止します」というステータス表示、あるいは、「再度、原稿を読み込ませてください」というオペレーション表示などに代表される、複合機１０の状態に関する表示である。
【００２８】
また、読み取り結果３３は、読み取り回数２１（例えば、１回目、２回目）と、各回の読み取り動作で計数された総ページ数２２とで構成される。この読み取り結果３３の表示から、使用者は、読み取り回数２１と総ページ数２２を確認することができる。
【００２９】
なお、原稿の読み取り動作を複数回行うためには、読み取り終わった原稿４０４を、次の読み取り動作に備えて一時的に収容する必要がある。そこで、ここでは、図６に一例を示す一時スタッカ１９を用いる。図６（Ａ）に示すように、読み取りセンサ４０１による読み取りが完了した原稿４０４は、図示しない搬送機構により一時スタッカ１９の保持部１９ａに搬送され、原稿面が下を向くようにして、下から順に積載される。次の読み取り動作（例えば２回目の読み取り動作）では、図６（Ｂ）に示すように、一時スタッカ１９に積載した原稿が反転され、上から順に、搬送機構１９ｂにより読み取り面４０３に搬送される。これにより、例えば１回目の読み取りと２回目の読み取りを、同じページ順で行う。
【００３０】
図７は、第１の実施の形態における複合機１０において、ページ抜けを判断して使用者に報知する流れを表すフローチャートである。
まず、制御部１１は、原稿読み取り部１８に読み取り動作を指示する。原稿読み取り部１８は、制御部１１の指示に基づき、原稿の読み取り動作を行い、原稿の画像データをデータ記憶部１２１に記憶する（ステップＳ１０）。
【００３１】
次に、制御部１１は、解析部１６に、原稿の総ページ数の計数を指示する。解析部１６は、制御部１１の指示に基づき、原稿読み取り部１８にアクセスし、原稿読み取り部１８により読み取られた原稿の総ページ数を計数する（ステップＳ１１）。次いで、制御部１１は、原稿の最後の読み取り動作（ここでは２回目の読み取り動作）が完了したか否か判断する（ステップＳ１２）。
【００３２】
このステップＳ１２において、最後の読み取り動作が完了していないと判断した場合には（ステップＳ１２でＮＯ）、制御部１１は、解析部１６に、総ページ数の最新の計数結果を記憶するよう指示し、解析部１６は、総ページ数の最新の計数結果を、総ページ数記憶部１２２の該当する回（例えば１回目）の総ページ数２２に記憶する（ステップＳ１４）。その後、ステップＳ１０〜Ｓ１２の処理を繰り返す。
【００３３】
一方、ステップＳ１２において、最後の読み取り動作が完了したと判断した場合には（ステップＳ１２でＹＥＳ）、制御部１１は、解析部１６に、総ページ数の最新の計数結果を記憶するよう指示し、解析部１６は、総ページ数の最新の計数結果を、総ページ数記憶部１２２の最後の回（例えば２回目）の総ページ数２２に記憶する（ステップＳ１３）。
【００３４】
次に、制御部１１は、総ページ数管理部１６２に、各回（ここでは１回目と２回目）の総ページ数の比較指示を与える。総ページ数管理部１６２は、制御部１１の指示に基づき、総ページ数記憶部１２２に記憶された１回目と２回目の総ページ数２２（図３、図４参照）を比較し、これらが一致するかどうか判断する（ステップＳ１５）。
【００３５】
総ページ数管理部１６２による比較（ステップＳ１５）の結果、１回目と２回目の総ページ数２２が一致した場合には（ステップＳ１５でＹＥＳ）、制御部１１は、データ解析部１６１に画像データの処理を指示する（ステップＳ１６）。なお、図示は省略するが、データ解析部１６１に処理された画像データは、印刷部１７により記録媒体に印刷され、あるいは、送受信部１４から外部に送信される。一方、総ページ数管理部１６２による比較（ステップＳ１５）の結果、１回目と２回目の総ページ数２２が一致しない場合には（ステップＳ１５でＮＯ）、制御部１１は、表示部１５２にエラー画面３１（図５参照）を表示し、使用者にページ抜けの発生を報知し、画像データを消去する（ステップ１７）。
【００３６】
使用者は、表示部１５２のエラー画面３１から、重送エラーによるページ抜けがあったことを認識することができる。これにより、複合機１０に原稿を改めてセットし、操作パネル１５を操作して原稿の読み取りを再開することができる。
【００３７】
このように、本発明の第１の実施の形態に係る画像処理装置は、原稿の読み取り動作を複数回行い、読み取り動作毎に原稿の総ページ数を記憶し、各回の総ページ数が一致しない場合には、ページ抜けが発生したと判断するように構成されている。そのため、重送によるページ抜けを容易に検出することができる。さらに、原稿の厚みを測定するためのセンサなどを設置する必要がないため、画像処理装置の小型化に資することができる。
【００３８】
なお、原稿の読み取り動作の回数は、２回に限定されるものではなく、３回以上であってもよいことは言うまでもない。また、操作パネル部１５の入力部１５１において、使用者が原稿の読み取り回数を設定できるようにしてもよい。
【００３９】
また、表示部１５２のエラー画面３１は、図５に示したものに限らず、使用者に異常の発生を報知し、あるいは、原稿の読み込みのやり直しを促す内容であれば良い。また、表示部１５２の代わりに、またはこれと併用して、音声などの報知手段を用いてもよい。
【００４０】
第２の実施の形態．
次に、本発明の第２の実施の形態の画像処理装置について、図８から図１１を使用して説明する。図８は、第２の実施の形態における画像処理装置としての複合機１０の構成を示すブロック図である。図８において、第１の実施の形態で説明した構成要素には、それぞれ同一の符号を付す。
【００４１】
第２の実施の形態では、原稿の読み取り動作を行わず、通紙を行って総ページ数を計数することで、より高速で総ページ数を把握できるようにしている。すなわち、上述した第１の実施の形態では、原稿の読み取り動作を複数回行い、その毎に原稿の総ページ数を記憶していたのに対し、第２の実施の形態では、原稿の読み取り動作を行って総ページ数を記憶する通常読み取り（第１の動作モード）に加えて、原稿の読み取り動作を行わずに、通紙動作を行って総ページ数を記憶する簡易読み取り（第２の動作モード）を設けている。
【００４２】
そのため、図８に示した解析部１６は、第１の実施の形態で説明したデータ解析部１６１および総ページ数管理部１６２を備え、さらに、原稿の読み取り動作を行わずに、通紙動作を行う場合の簡易読み取りプログラム５０を有している。
【００４３】
ここでは、図２に示した読み取りセンサ４０１による原稿の読み取り動作を行わずに、搬送手段（ローラ４０２）により原稿を搬送して読み取り面４０３を通過させることを、「通紙動作」と称する。但し、ここでは、通紙動作における原稿の通過センサとして、読み取りセンサ４０１を用いている。
【００４４】
すなわち、読み取りセンサ４０１の解像度は、通常の読み取り動作においては、６００ｄｐｉ（高解像度読み取り時）または３００ｄｐｉ（低解像度読み取り時）に設定されている。これに対し、通紙動作においては、読み取りセンサ４０１の解像度を、例えば７２ｄｐｉの「極低解像度」に設定し、原稿の通過を検知するようにしている。
【００４５】
また、本実施の形態では、操作パネル部１５（指定部）において、簡易読み取りを行うか否か、および、通常読み取りの回数を、使用者が指定できるよう構成されている。図９（Ａ）に、操作パネル部１５の設定画面の例を示す。
【００４６】
図９（Ａ）に示した例では、操作パネル部１５の表示部１５２に、簡易読み取りを行うか否かを選択するための選択部と、通常読み取りを行う回数を１回、２回、３回の中から選択する選択部とが表示される。使用者は、操作パネル部１５の入力部１５１（例えばマウス）を用いて、簡易読み取りと通常読み取りのそれぞれについて、選択を行うことができる。なお、図９（Ａ）の例では、使用者は、簡易読み取りを「行う」ことを選択し、通常読み取りの回数として「１回」を選択している。
【００４７】
また、使用者が、通常読み取りの回数として「指定回数」を選択した場合には、図９（Ｂ）の数値入力画面（例えばテンキー表示）が表示され、操作パネル部１５の入力部１５１（例えばマウス）を用いて、通常読み取りの回数を自由に指定することができる。
【００４８】
制御部１１は、操作パネル部１５での使用者の指定に基づき、簡易読み取りを行うか否か、および、通常読み取りを行う回数を決定する。このように使用者の指定を可能にすることで、使用状況に応じた、より柔軟な対応が可能になる。本実施の形態における複合機１０の他の構成は、第１の実施の形態で説明したとおりである。
【００４９】
図１０は、総ページ数記憶部１２２に記憶したデータの例を示す。総ページ数記憶部１２２は、読み取り回数２１と総ページ数２２とで構成される。ここで、読み取り回数２１は、簡易読み取りにおける原稿の通紙動作の回数と、通常読み取りにおける原稿の読み取り動作の回数とを含む。総ページ数２２は、読み取った原稿（簡易読み取りの場合には、通紙した原稿）の総ページ数を示す。
【００５０】
総ページ数記憶部１２２には、簡易読み取りで計数された総ページ数と、通常読み取りで計数された総ページ数を記憶する。例えば、図１０に示すように、簡易読み取りでの総ページ数２２に「８０ページ」が記憶され、通常読み取りでの総ページ数２２（１回目）に「７８ページ」が記憶されている場合には、総ページ数が一致しないため、総ページ数管理部１６２は、ページ抜けが発生したと判断する。
【００５１】
なお、通常読み取りを２回以上行う場合には、例えば、簡易読み取りでの総ページ数と、１回目の通常読み取りでの総ページ数と、２回目の通常読み取りでの総ページ数とを比較してもよい。
【００５２】
図１１は、第２の実施の形態における複合機１０において、ページ抜けを判断して使用者に報知する流れを表すフローチャートである。図１１において、図７のフローチャートに示した処理と同一の処理には、同一の符号を付す。
【００５３】
図１１において、制御部１１は、操作パネル部１５での使用者の設定に基づいて決定した動作手順に基づき、簡易読み取りか、通常読み取りかを判断する（ステップＳ８）。ここでは、簡易読み取りでの原稿の通紙を１回行い、その後、通常読み取りでの原稿の読み取りを１回以上（例えば２回）行うものとする。
【００５４】
簡易読み取りの場合（ステップＳ８でＹＥＳ）、制御部１１は、原稿読み取り部１８に、簡易読み取り動作を指示する。原稿読み取り部１８は、制御部１１の指示に基づき、図２に示したローラ４０２を駆動して原稿４０４の通紙動作を行う。読み取りセンサ４０１は、上述した極低解像度で原稿の通過を検知するセンサとして動作し、通紙したページ数をカウントする。
【００５５】
次に、制御部１１は、解析部１６に、通紙した原稿の総ページ数の計数指示を与える。解析部１６は、制御部１１の指示に基づき、原稿読み取り部１８の読み取りセンサ４０１にアクセスし、通紙した原稿の総ページ数を計数する（ステップＳ９）。なお、ステップＳ８およびＳ９の処理は、図７に示したプログラム５０に対応している。
【００５６】
次いで、制御部１１は、原稿の最後の読み取り動作（ここでは２回目の読み取り）が完了したか否か判断する（ステップＳ１２）。ステップＳ８，Ｓ９（通紙動作）からステップＳ１２に進んだ場合には、ステップＳ１２の判断結果はＮＯとする。
【００５７】
このステップＳ１２において、最後の読み取り動作が完了していないと判断した場合には（ステップＳ１２でＮＯ）、制御部１１は、解析部１６に、総ページ数の最新の計数結果を記憶するよう指示し、解析部１６は、総ページ数の最新の計数結果を、総ページ数記憶部１２２の該当する読み取り回数（例えば１回目）の総ページ数２２に記憶する（ステップＳ１４）。ステップＳ８，Ｓ９からステップＳ１２に進んでいた場合には、簡易読み取りの総ページ数２２に、最新の計数結果を記憶する。その後、ステップＳ８〜Ｓ１２の処理を繰り返す。
【００５８】
一方、ステップＳ１２において、最後の読み取り動作が完了したと判断した場合には（ステップＳ１２でＹＥＳ）、制御部１１は、解析部１６に、総ページ数の最新の計数結果の記憶するよう指示し、解析部１６は、総ページ数の最新の計数結果を、総ページ数記憶部１２２の最後の回（例えば２回目）の総ページ数２２に記憶する（ステップＳ１３）。
【００５９】
ステップＳ１５（総ページ数管理部１６２による比較）以降の処理は、第１の実施の形態と同様に行われる。
【００６０】
以上説明したように、第２の実施の形態によれば、原稿を通紙して総ページ数を計数する簡易読み取りを行うようにしたため、原稿の通常読み取り回数が１回であっても、ページ抜けを判断することができる。通紙動作は、極低解像度の読み取りセンサ４０１による原稿の通過検知ができればよいため、原稿の読み取り動作に比較して、高速で行うことができる。従って、原稿の通常読み取りを２回以上行う必要がある第１の実施の形態と比較して、ページ抜けの発生の判断をより高速に行うことができる。
【００６１】
なお、ここでは、使用者が操作パネル部１５において簡易読み取りおよび通常読み取りの回数を設定できる例について説明したが、本実施の形態は、そのような構成に限定されるものではなく、簡易読み取りおよび通常読み取りの回数が予め決められている態様も可能である。
【００６２】
なお、上述した第１及び第２の実施の形態における画像形成装置（複合機）１０では、読み取りセンサ４０１が移動することにより、停止している原稿４０４を読み取るように構成されていたが、このような構成に限定されるものではなく、読み取りセンサを所定の位置に固定し、一定速度で搬送される原稿を読み取るようにしてもよい。この場合、例えば、ユーザにより一時スタッカ１９ａに積載した複数枚の原稿を、搬送機構１９ｂが一枚ずつ分離して搬送し、搬送された原稿をローラ４０２が所定速度でさらに搬送して、所定位置に固定された読み取りセンサを通過させることで、読取センサが原稿を逐次読み取るように構成することができる。
【００６３】
上述した各実施の形態では、画像形成装置の一例として、複合機について説明した。しかしながら、本発明は、複合機に限定されるものではなく、読み取り部を有する装置であれば、適用可能である。
【符号の説明】
【００６４】
１０  複合機（画像形成装置）、  １１  制御部、  １２  記憶部、  １２１  データ記憶部、  １２２  総ページ数記憶部、  １３  給紙部、  １４  送受信部、  １５  操作パネル部、  １６  解析部、  １６１  データ解析部（画像データ処理部）、  １６２  総ページ数管理部（総ページ数比較部）、  １７  印刷部、  １８  読み取り部、  １９  一時スタッカ、  ５０  プログラム、  ４０１  読み取りセンサ、  ４０２  ローラ、  ４０３  読み取り面、  ４０４  原稿。
【図１】
0005476258.tif 000002
【図２】
0005476258.tif 000003
【図３】
0005476258.tif 000004
【図４】
0005476258.tif 000005
【図５】
0005476258.tif 000006
【図６】
0005476258.tif 000007
【図７】
0005476258.tif 000008
【図８】
0005476258.tif 000009
【図９】
0005476258.tif 000010
【図１０】
0005476258.tif 000011
【図１１】
0005476258.tif 000012